(57)【要約】【課題】【解決手段】一般に装置の、特に、光学装置又は写真装置等の支持体のための三脚が説明されている。この三脚は、複数の脚部（２）が集中する雲台（３）と、この装置を受けるように配設され、前記雲台の座部（４）中に収容されたステム（１１）を有するピラー（１２）とを備えている。前記座部は、雲台中に形成された関節ジョイント（２２）の指向可能な部材（２１）を介して延びている。
2005521843.tif 000002
【特許請求の範囲】
【請求項１】
一般に装置の、特に、光学装置又は写真装置等の支持のための三脚であって、複数の脚部（２）が集中する雲台（３）と、この装置を受けるように配設され、前記雲台の座部（４）中に収容されたステム（１１）を有するピラー（１２）とを具備する三脚において、前記座部は、前記雲台中に形成された関節ジョイント（２２）の指向可能な部材（２１）を通って延びていることを特徴とする三脚。
【請求項２】
前記関節ジョイントは、ボール-ソケットジョイント（２２）である請求項１の三脚。
【請求項３】
前記指向可能な部材は、前記ボール-ソケットジョイントのボール（２１）を有する請求項２の三脚。
【請求項４】
前記ピラー（１２）は、前記座部中で、調整可能な方法により軸方向に摺動し得る前記すべての請求項のいずれか１の三脚。
【請求項５】
スリーブ（２５）が、前記座部中に配設されており、前記ピラーの軸方向の摺動を防止するように前記ピラー（１２）の外周にクランプされ得る請求項４の三脚。
【請求項６】
前記スリーブ（２５）は、これの軸方向の両端の少なくとも一端の領域において径方向に収縮可能であり、クランプ手段（２７，２８，２９）が、前記指向可能な部材（２１）に対して設けられ、クランプ手段の操作により前記少なくとも一端の領域で前記スリーブを径方内方へと圧縮可能である請求項５の三脚。
【請求項７】
前記クランプ手段は、前記ボール（２１）にしっかりと固定された雄ねじが形成されたカラー（２１ａ）の外周に螺合されることによって係合されたリングナット（２９）と、このリングナット（２９）内に形成され、前記カラーの外周にリングナットを螺合させてクランプ力を働かせるように、前記スリーブ（２５）の対面する端部に作用する円錐面（２８）とを有する請求項６の三脚。
【請求項８】
前記クランプ手段は、前記カラー（２１ａ）から離れた一端のところで、前記座部（４）中に形成され、かつ前記スリーブの他端に作用する第２の円錐面（２７）を有し、この他端は、径方向に収縮可能である請求項６の三脚。
【請求項９】
前記ボール２１は、２つが互いに対向する面（１６，２０）の間の、前記雲台（３）の孔（１５）中に収容されている請求項３ないし８のいずれか１の三脚。
【請求項１０】
押圧手段（２４）が、前記雲台に設けられ、前記指向可能な部材（２１）がこの雲台に対して枢動するのを防止するように、この指向可能な部材（２１）に作用する前記すべての請求項のいずれか１の三脚。
【発明の詳細な説明】
【技術分野】
【０００１】
本発明の主題は、主請求項の前文に説明された種類の、一般に装置の、特に、光学装置又は写真装置等の支持体のための三脚である。以下の背景（技術）で、三脚という用語は、雲台中に集中している３つ以上の脚台を設けた構成を示すように広範囲で使用されており、この脚部周辺で、特に、高さを調整可能なピラーが、上述された装置を支持するように配設されていることを意味する。
【背景技術】
【０００２】
上述された特徴を有する三脚は、カメラの配向可能な支持体のために、写真及び映写の分野で広く使用されている。この分野では、ピラー支持体を設けたスタンド又は三脚を位置し、ピラーに設けられた装置をこれ自身の軸のまわりに指向し得る必要性が生じる。この必要性は、一般的に、いわゆるパノラマ撮影において生じる。
【０００３】
このような場合、装置の枢動が起こりながら、水平性の所望の状態が維持されるように、注意して三脚を位置させることが重要である。また、映写用三脚及びスタンドは、水平性の必要性を回避するように、指向可能なプラットホームを有する支持体が使用され、このプラットホーム上に光学または写真装置を支持するヘッドが設けられていることは知られている。しかし、このような支持体は、摺動可能な中央ピラーを有してはおらず、明らかにこの装置の高さ調整を制限する。
【発明の開示】
【発明が解決しようとする課題】
【０００４】
本発明の主な目的は、参照された従来技術に関して述べられた欠点のすべてを解消するように、構造かつ機能的にデザインされた支持体を提供することである。
この目的の範囲内で、本発明の重要な目的は、容器に調整可能な支持体を提供することである。
【課題を解決するための手段】
【０００５】
この目標と、これらの及び他の目的とは、添付された請求項にしたがって形成された支持体により達成される。
本発明の特徴及び利点は、添付図面に関する非限定例により示された好ましい実施の形態の詳細な説明から明らかになるであろう。
【発明を実施するための最良の形態】
【０００６】
図面において、全体的に１で示された、写真用並びに/もしくは映写用の三脚は、すべてが雲台３に集中している複数の脚部２を有し、この雲台３中で、座部４は、軸方向に摺動し、調整位置でロックされ得るような方法でピラー１２のステム１１を収容している。
【０００７】
前記ステム１１は、円形状の断面を備えた管状構成を有し、このステムの一端で所望の装置を固定するためのプラットホーム１３を支持している。突出部１４が、前記ピラー１２が座部４から不慮に離脱するのを防止するために、他端に、随意に形成されても良い。
【０００８】
前記雲台３は、貫通孔（ｔｈｒｏｕｇｈ  ｃａｖｉｔｙ）１５を有し、この貫通孔中に、ねじ１８を一部が有する円筒型の部分１７と円錐面１６とが一致している。この面１６に対向する円錐面２０を有するリングナット１９が、ボール２１を前記孔１５中で枢動可能に抑制するように、ねじ１８に螺入されている。それぞれ円錐面を有する前記ボール２１と孔１５とは、全体的に２２で示されたボール-ソケットジョイントを構成している。そして、このボール２１は、指向可能な部材である。
【０００９】
このボール２１は、ステムが雲台３のねじ切りされた半径方向の穴中へと螺合されている回動可能なプラグ２４によって所望の向きでロックされ得る。
前記座部４は、ボール２１から延出し雄ねじが形成されたカラー２１ａと同軸的に、ボール２１中に形成されている。この座部４中に配設され、抑制される円筒形のスリーブ２５は、スリーブを径方向に収縮可能にするために、これの長手方向で互いに対向する両端に、複数のスロット２６を有している。このピラー１２のステム１１は、スリーブ２５中を貫通しており、クランプ手段によりボール２１にロックされ得る。このクランプ手段は、対向された円錐面２７、２８を有し、これらの面は、それぞれ、座部４と、カラー２１ａ外周にねじ留めされ得るリングナット２９内の対面する位置（ｆａｃｉｎｇ  ｐｏｓｉｔｉｏｎ）とに形成されている。カラー２１ａの外周にリングナット２９を螺合させることにより、前記両円錐面２７，２８が、互いに近づくように移動する。この結果、スリーブ２５の互いに対向する両端に径方内方への圧縮が生じ、ピラー１２のステム１１の外周にスリーブがクランプされる。また、スリーブ２５は、座部４内で軸方向の動きが抑制される。
【００１０】
この三脚１が配置され、雲台３が脚部２の位置決めによりほぼ水平にされると、前記回動可能なプラグ２４は、ピラー１２をボール２１と共に所望の方法で指向させるように緩められる。前記プラットホーム１３を水平にするように、ピラーの指向は、プラットホーム１３上の図に示されていない水準器（ｓｐｉｒｉｔ  ｌｅｖｅｌ）によって支援されても良い。前記回動可能なプラグを締めることにより、雲台３に対するボール２１の枢動をロックする。ピラー１２を水平にする前後で、ピラー１２の高さは、座部４中でピラーが軸方向に摺動可能となるように、ピラーを解放するように、リングナット２９を緩めることで調整される。所望の調整が達せられた後、リングナット２９が、ボール中でのピラーの摺動を再びロックするように締められる。水平付けは、雲台に対してピラーの軸の位置を変化させることにより達せられるため、ピラーの次の垂直調整の間でさえ、この水平状態が維持されることが、指摘されている。
【００１１】
上述された本発明は、多くの効果を達することが可能であり、その中でも以下のものは最も重要である。この装置は、三脚の３つの伸縮自在な脚部より、むしろ中央ピラーの一度の操作によって、早く水平付けされ得る。また、この装置は、中央ピラーが垂直方向に摺動し、かつ回転し得ることよって、位置決めの大きな自由度を維持する。そして、この装置は、雲台中に指向可能なジョイントを位置させることにより十分な安定性を維持し、この結果、装置の重さが雲台と垂直になることを確保する。
【図面の簡単な説明】
【００１２】
【図１】図１は、本発明に係わる三脚の斜視図である。
【図２】図２は、図１の三脚の詳細を拡大し、半分が長手方向セクションで示されている図である。
【図１】
2005521843.tif 000003
【図２】
2005521843.tif 000004
【手続補正書】
【提出日】平成16年3月16日(2004.3.16)
【手続補正１】
【補正対象書類名】特許請求の範囲
【補正対象項目名】全文
【補正方法】変更
【補正の内容】
【特許請求の範囲】
【請求項１】
一般に装置の、特に、光学装置又は写真装置等の支持のための三脚であって、複数の脚部（２）が集中する雲台（３）と、この装置を受けるように配設され、前記雲台の座部（４）中に収容されたステム（１１）を有するピラー（１２）とを具備し、前記ピラー（１２）は、前記座部中に調整可能な方法により軸方向に摺動可能であり、この座部は、前記雲台中に形成されたボール-ソケットタイプの関節ジョイント（２２）の指向可能な部材（２１）を通って延びており、このジョイント（２２）は、孔（１５）中に配設されたボールを有し、そして、この三脚は又、所望の指向へと前記ボール（２２）をロックするロック手段（２４）を有する三脚において、
前記ロック手段（２４）から独立して、前記孔（１５）中で枢動可能な前記ボール（２２）を抑制するための抑制手段（１９）と、
前記座部及びクランプ手段（２７，２８，２９）内に配設されたスリーブ（２５）とを具備し、このクランプ手段は、前記ピラー（１２）の軸方向の摺動を防止するように、前記スリーブを前記ピラー（１２）の外周にクランプすることを特徴とする三脚。
【請求項２】
前記スリーブ（２５）は、これの軸方向の両端の少なくとも一端の領域において径方向に収縮可能であり、クランプ手段（２７，２８，２９）が、前記指向可能な部材（２１）に対して設けられ、クランプ手段の操作により前記少なくとも一端の領域で前記スリーブを径方内方へと圧縮可能である請求項１の三脚。
【請求項３】
前記クランプ手段は、前記ボール（２１）にしっかりと固定された雄ねじが形成されたカラー（２１ａ）の外周に螺合されることによって係合されたリングナット（２９）と、このリングナット（２９）内に形成され、前記カラーの外周にリングナットを螺合させてクランプ力を働かせるように、前記スリーブ（２５）の対面する端部に作用する円錐面（２８）とを有する請求項１又は２の三脚。
【請求項４】
前記クランプ手段は、前記カラー（２１ａ）から離れた一端のところで、前記座部（４）中に形成され、かつ前記スリーブの他端に作用する第２の円錐面（２７）を有し、この他端は、径方向に収縮可能である請求項１ないし３のいずれか１の三脚。
【請求項５】
前記ボール２１は、２つが互いに対向する面（１６，２０）の間の、前記雲台（３）の孔（１５）中に収容されている請求項１ないし４のいずれか１の三脚。
【請求項６】
押圧手段（２４）が、前記雲台に設けられ、前記指向可能な部材（２１）がこの雲台に対して枢動するのを防止するように、この指向可能な部材（２１）に作用する前記すべての請求項のいずれか１の三脚。
【手続補正２】
【補正対象書類名】明細書
【補正対象項目名】０００３
【補正方法】変更
【補正の内容】
【０００３】
このような場合、装置の枢動が起こりながら、水平性の所望の状態が維持されるように、注意して三脚を位置させることが重要である。また、映写用三脚及びスタンドは、水平性の必要性を回避するように、指向可能なプラットホームを有する支持体が使用され、このプラットホーム上に光学または写真装置を支持するヘッドが設けられていることは知られている。しかし、このような支持体は、摺動可能な中央ピラーを有してはおらず、明らかにこの装置の高さ調整を制限する。
主な請求項の前文に述べられている特徴を有する三脚は、ＤＥ３１３４９１０とＤＥ２３０７８２６とに開示されている。


【国際調査報告】
2005521843.tif 000005
2005521843.tif 000006